(57)【要約】【課題】スリムな表示装置を提供する。【解決手段】バックライトユニット表示パネル及び放熱ボトムシャーシを含む表示装置。バックライトユニットは光を提供し、曲面構造を有する。表示パネルはバックライトユニット上に配置され、光を受信して映像を表示し、曲面構造を有する。放熱ボトムシャーシはバックライトユニット及び表示パネルを固定し、曲面構造を有する。バックライトユニットは光を発光する光源ユニット及び光源ユニット上に配置される光学部材を含む。放熱ボトムシャーシは光源ユニット収容部、光源部材収容部、及び表示パネル収容部を含む。光源ユニット収容部は光源ユニットを収容する。光学部材収容部は光源ユニット収容部上に配置され、光学部材を収容し、表示パネルを支持する。表示パネル収容部は光学部材収容部上に配置され、表示パネルを収容する。光源ユニット収容部、光学部材収容部、及び表示パネル収容部は同一の物質を含む。【選択図】図１Ａ
2016161936.tif 000002
【特許請求の範囲】
【請求項１】
曲面構造を有し発光するバックライトユニットと、
前記バックライトユニット上に配置され、前記光を受信して映像を表示する、曲面構造を有する表示パネルと、
前記バックライトユニット及び前記表示パネルを固定し、曲面構造を有する放熱ボトムシャーシと、を含み、
前記バックライトユニットは、
前記光を発光する光源ユニットと、
前記光源ユニット上に配置される光学部材と、を含み、
前記放熱ボトムシャーシは、
前記光源ユニットを収容する光源ユニット収容部と、
前記光源ユニット収容部上に配置され、前記光学部材を収容し、前記表示パネルを支持する光学部材収容部と、
前記光学部材収容部上に提供され、前記表示パネルを収容する表示パネル収容部と、を含み、
前記光源ユニット収容部と前記光学部材収容部と前記表示パネル収容部とは、同一の物質を含む、
表示装置。
【請求項２】
前記光源ユニット収容部と前記光学部材収容部と前記表示パネル収容部とが単一のユニットとして形成させる
請求項１に記載の表示装置。
【請求項３】
前記光源ユニット収容部と前記光学部材収容部と前記表示パネル収容部とが、同一の工程によって製造される
請求項１に記載の表示装置。
【請求項４】
前記光源ユニット収容部と前記光学部材収容部と前記表示パネル収容部とが、ダイキャスティング工法で製造される
請求項３に記載の表示装置。
【請求項５】
前記光源ユニット収容部と前記光学部材収容部と前記表示パネル収容部とが、金属又は合金を含む
請求項１に記載の表示装置。
【請求項６】
前記表示パネル収容部は、前記表示パネルを収容する表示パネル収容ホールを含み、
前記光学部材収容部は、前記光学部材を収容する光学部材収容ホールを含み、
前記光源ユニット収容部は、前記光源ユニットが収容される光源ユニット収容溝を含む、
請求項１に記載の表示装置。
【請求項７】
前記光学部材収容ホールの大きさが、前記表示パネル収容ホールの大きさより小さい
請求項６に記載の表示装置。
【請求項８】
前記光学部材収容部は、第１収容部側壁を含み、
前記表示パネル収容部は、第２収容部側壁を含み、
前記第１収容部側壁の中で少なくとも１つの幅は、前記第２収容部側壁の中の少なくとも１つの幅より大きい、
請求項１に記載の表示装置。
【請求項９】
前記第１収容部側壁の中で少なくとも１つは、前記表示パネルを支持する、
請求項８に記載の表示装置。
【請求項１０】
前記第１収容部側壁は、
第１サブ収容部側壁と、前記第１サブ収容部側壁と離隔された第２サブ収容部側壁と、前記第１サブ収容部側壁及び前記第２サブ収容部側壁と連結される第３サブ収容部側壁と、前記第３サブ収容部側壁と離隔された第４サブ収容部側壁と、を含み、
前記第２収容部側壁は、
第５サブ収容部側壁と、前記第５サブ収容部側壁と離隔された第６サブ収容部側壁と、前記第５サブ収容部側壁及び前記第６サブ収容部側壁と連結される第７サブ収容部側壁と、前記第７サブ収容部側壁と離隔された第８サブ収容部側壁と、を含み、
前記第５サブ収容部側壁及び前記第６サブ収容部側壁の間の距離は、前記第１サブ収容部側壁及び前記第２サブ収容部側壁間の距離より長い、
請求項８に記載の表示装置。 
【発明の詳細な説明】
【技術分野】
【０００１】
本発明は表示装置及びその製造方法に関し、より詳細にはスリム化された表示装置及びその製造方法に関する。
【背景技術】
【０００２】
平板型表示装置はＴＶ、モニター、ノート型コンピューター、及び携帯電話等の多様な情報処理装置に映像を表示する用途として使用されている。最近は、曲面構造を有する曲面型表示装置が開発され、このような曲面型表示装置は表示曲面の形状を有する表示領域を提供して使用者に立体感、没入感及び臨場感が向上された映像を提供することができる。
【先行技術文献】
【特許文献】
【０００３】
【特許文献１】米国特許公開第２０１４／０２８６０００号明細書
【特許文献２】韓国特許第１０−１２１１３７１号公報
【特許文献３】韓国特許第１０−１４２６９９７号公報
【特許文献４】韓国特許公開第１０−２０１３―００５５３３８号明細書
【特許文献５】韓国特許公開第１０−２０１４―０００７２０２号明細書
【発明の概要】
【発明が解決しようとする課題】
【０００４】
本発明の目的はスリムな表示装置を提供することにある。
【０００５】
本発明の他の目的は表示装置のスリム化された表示装置及びその製造方法を提供することにある。
【課題を解決するための手段】
【０００６】
本発明の一実施形態による表示装置はバックライトユニットと、表示パネルと、放熱ボトムシャーシと、を含む。バックライトユニットは曲面構造を有し、発光する。表示パネルはバックライトユニット上に配置され、映像を表示するための光を受信し、曲面構造を有する。放熱ボトムシャーシはバックライトユニット及び表示パネルを固定し、曲面構造を有する。バックライトユニットは光を発光する光源ユニット及び光源ユニット上に配置される光学部材を含む。放熱ボトムシャーシは光源ユニット収容部、光源部材収容部、及び表示パネル収容部を含む。光源ユニット収容部は光源ユニットを収容する。光学部材収容部は光源ユニット収容部上に提供され、光学部材を収容し、表示パネルを支持する。表示パネル収容部は光学部材収容部上に配置され、表示パネルを収容する。光源ユニット収容部、光学部材収容部、及び表示パネル収容部は同一の物質を含んでもよい。
【０００７】
光源ユニット収容部、光学部材収容部、及び表示パネル収容部は単一のユニットとして一体的に形成してもよい。
【０００８】
光源ユニット収容部、光学部材収容部、及び表示パネル収容部は同一の工程で製造されてもよい。
【０００９】
光源ユニット収容部、光学部材収容部、及び表示パネル収容部はダイキャスティング工法によって製造することができる。
【００１０】
光源ユニット収容部、光学部材収容部、及び表示パネル収容部は金属又は合金を含んでもよい。
【００１１】
表示パネル収容部は表示パネルを収容する表示パネル収容ホールを含む。光学部材収容部は光学部材を収容する光学部材収容ホールを含む。光源ユニット収容部は光源ユニットが収容される光源ユニット収容溝を含む。
【００１２】
光学部材収容ホールの大きさは表示パネル収容ホールの大きさより小さい。
【００１３】
光学部材収容部は第１収容部側壁を含み、表示パネル収容部は第２収容部側壁を含む。第１収容部側壁の中で少なくとも１つの幅は第２収容部側壁の中で少なくとも１つの幅より大きい。
【００１４】
第１収容部側壁の中で少なくとも１つは表示パネルを支持する。
【００１５】
第１収容部側壁は第１サブ収容部側壁、第１サブ収容部側壁から離隔された第２サブ収容部側壁、第１サブ収容部側壁及び第２サブ収容部側壁と連結される第３サブ収容部側壁、及び第３サブ収容部側壁と離隔された第４サブ収容部側壁を含む。第２収容部側壁は第５サブ収容部側壁、第５サブ収容部側壁と離隔された第６サブ収容部側壁、第５サブ収容部側壁及び第６サブ収容部側壁と連結される第７サブ収容部側壁、及び第７サブ収容部側壁と離隔された第８サブ収容部側壁を含む。第５サブ収容部側壁及び第６サブ収容部側壁の間の距離は第１サブ収容部側壁及び第２サブ収容部側壁間の距離より長い。
【００１６】
本発明の一実施形態による表示装置は表示パネルと電気的に連結される印刷回路基板及び表示パネル及び印刷回路基板と連結されるテープキャリヤーパッケージ（Ｔａｐｅ  Ｃａｒｒｉｅｒ  Ｐａｃｋａｇｅ：ＴＣＰ）をさらに含んでもよい。
【００１７】
本発明の一実施形態による表示装置は表示パネルの側面のうち少なくとも１つを覆うトップシャーシーをさらに含んでもよい。
【００１８】
印刷回路基板は放熱ボトムシャーシの下部に配置され、トップシャーシーは印刷回路基板及びテープキャリヤーパッケージをカバーすることができる。
【００１９】
放熱ボトムシャーシは光源ユニット収容部の下部に配置され、放熱ボトムシャーシの強性を補強する支持具（たとえば、ブラケット）をさらに含んでもよい。ブラケットは光源ユニット収容部、光学部材収容部、及び表示パネル収容部と同一の物質を含んでもよい。
【００２０】
表示パネルは第１曲率半径を有し、バックライトユニットは第１曲率半径より大きい第２曲率半径を有し、放熱ボトムシャーシは第１曲率半径及び第２曲率半径より大きい第３曲率半径を有する。
【００２１】
本発明の一実施形態による表示装置の製造方法はダイキャスティング工法によって放熱ボトムシャーシを製造する段階、放熱ボトムシャーシにバックライトユニットを供給する段階、及びバックライトユニット上に表示パネルを供給する段階を含む。表示パネル、バックライトユニット、及び放熱ボトムシャーシの各々は曲面構造を有する。
【００２２】
バックライトユニットを供給する段階は光源ユニットを供給する段階及び光源ユニット上に光学部材を供給する段階を含む。放熱ボトムシャーシは光源ユニットを収容する光源ユニット収容部、光源ユニット収容部上に配置され、光学部材を収容し、表示パネルを支持する光学部材収容部、及び光学部材収容部上に配置され、表示パネルを収容する表示パネル収容部を含むように製造される。
【００２３】
放熱ボトムシャーシは金属又は合金を使用して製造される。
【００２４】
本発明の一実施形態による表示装置はバックライトユニット、表示パネル、及び放熱ボトムシャーシを含む。バックライトユニットは曲面構造を有し表示パネルはバックライトユニット上に提供され、光を受信して映像を表示し、曲がったものである。放熱ボトムシャーシはバックライトユニット及び表示パネルを固定し、曲がったものである。放熱ボトムシャーシはダイキャスティング工法によって製造されてもよい。
【００２５】
本発明の一実施形態による表示装置は表示パネルの側面１つの側面をカバーし、残る側面をカバーしないトップカバーをさらに含んでもよい。
【発明の効果】
【００２６】
本発明の一実施形態による表示装置によれば、スリム化を実現することができる。本発明の一実施形態による表示装置の製造方法によれば、スリムな表示装置を提供することができる。
【図面の簡単な説明】
【００２７】
【図１Ａ】本発明の一実施形態による表示装置を概略的に示した分解斜視図である。
【図１Ｂ】図１ＡのI−I’線に対応する概略的な断面図である。
【図２Ａ】本発明の一実施形態による表示装置に含まれる表示パネルを概略的に示した斜視図である。
【図２Ｂ】本発明の一実施形態による表示装置に含まれるバックライトユニットを概略的に示した斜視図である。
【図２Ｃ】本発明の一実施形態による表示装置に含まれる放熱ボトムシャーシを概略的に示した斜視図である。
【図３Ａ】本発明の一実施形態による表示装置に含まれる放熱ボトムシャーシを概略的に示した斜視図である。
【図３Ｂ】図３Ａの放熱ボトムシャーシの一部を切断して概略的に示した斜視図である。
【図３Ｃ】本発明の一実施形態に含まれるボトムシャーシの概略的な分解斜視図である。
【図３Ｄ】図３ＡのII−II’線に対応する概略的な断面図である。
【図３Ｅ】図３ＡのII−II’線に対応する概略的な断面図である。
【図４Ａ】本発明の一実施形態による表示装置に含まれる放熱ボトムシャーシを概略的に示した斜視図である。
【図４Ｂ】図４ＡのII−II’線に対応する概略的な断面図である。
【図５Ａ】本発明の一実施形態による表示装置を概略的に示した分解斜視図である。
【図５Ｂ】図５ＡのI−I’線に対応する概略的な断面図である。
【図６】本発明の一実施形態による表示装置の製造方法を概略的に示した順序図である。
【発明を実施するための形態】
【００２８】
以上の本発明の目的、他の目的、特徴、及び長所は添付された図面に関連された以下の望ましい実施形態を通じて容易に理解できる。しかし、開示される実施形態は、具体的に当業者に本発明の思想が十分に伝達され得るようにするために提供されるものであって、本発明はここで説明される実施形態に限定されず、他の形態に具体化されてもよい。
【００２９】
各図面を説明するに当たっては、参照符号を構成要素に対応させて使用した。添付された図面においては、構造物の寸法は本発明を明確に説明するために実際より拡大して示した。第１、第２等の用語は多様な構成要素を説明するために使用されるが、構成要素は用語によって限定されない。用語は１つの構成要素を他の構成要素から区別する目的のみに使用される。例えば、本発明の権利範囲を逸脱せず第１構成要素は第２構成要素と称され、類似に第２構成要素も第１構成要素と称される。単数の表現は文脈の上に明確に異なるように意味しない限り、複数の表現を含む。
【００３０】
本出願で、“含む”又は“有する”等の用語は明細書上に記載された特徴、数字、段階、動作、構成要素、部品又はこれらを組合したことが存在することを指定しようとするものであるが、１つ又はそれ以上の他の特徴や数字、段階、動作、構成要素、部分品又はこれらを組合したものが存在又は付加される可能性を予め排除されるものではない。また、層、膜、領域、板等の部分が他の部分の“上に”あるとする場合、これは他の部分の“直ちに上に”ある場合のみでなく、その中間にその他の部分がある場合も含む。反対に層、膜、領域、板等の部分が他の部分“下に”あるとする場合、これは他の部分の“直ちに下に”ある場合のみでなく、その中間にその他の部分がある場合も含む。
【００３１】
以下では本発明の一実施形態による表示装置に対して説明する。
【００３２】
図１Ａは本発明の一実施形態による表示装置を概略的に示した分解斜視図である。
【００３３】
図１Ｂは図１ＡのI−I’線に対応する概略的な断面図である。
【００３４】
図１Ａ及び図１Ｂについて述べると、本発明の一実施形態による表示装置１０はバックライトユニット２００、表示パネル１００、及び放熱ボトムシャーシ３００を含む。
【００３５】
表示パネル１００はバックライトユニット２００の上に配置される。表示パネル１００は光を受け取り、映像を表示する。表示パネル１００は受光型表示パネルであり、液晶表示パネル１００（ｌｉｑｕｉｄ  ｃｒｙｓｔａｌ  ｄｉｓｐｌａｙ  ｐａｎｅｌ）、プラズマ表示パネル（ｐｌａｓｍａ  ｄｉｓｐｌａｙ  ｐａｎｅｌ）、電気泳動表示パネル（ｅｌｅｃｔｒｏｐｈｏｒｅｔｉｃ  ｄｉｓｐｌａｙ  ｐａｎｅｌ）、ＭＥＭＳ表示パネル（ｍｉｃｒｏｅｌｅｃｔｒｏｍｅｃｈａｎｉｃａｌ  ｓｙｓｔｅｍ  ｄｉｓｐｌａｙ  ｐａｎｅｌ）、及びエレクトロ・ウェッティング表示パネル（ｅｌｅｃｔｒｏｗｅｔｔｉｎｇ  ｄｉｓｐｌａｙ  ｐａｎｅｌ）等、様々な表示パネルであってもよい。本発明の一実施形態による表示パネル１００は液晶表示パネルであることを例として説明する。
【００３６】
液晶表示パネルはＶＡ（Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＩＰＳ（ｉｎ−ｐｌａｎｅ  ｓｗｉｔｃｈｉｎｇ）モード、又はＦＦＳ（ｆｒｉｎｇｅ−ｆｉｅｌｄ  ｓｗｉｔｃｈｉｎｇ）モード、及びＰＬＳ（Ｐｌａｎｅ  ｔｏ  Ｌｉｎｅ  Ｓｗｉｔｃｈｉｎｇ）モード等の中でいずれか１つのパネルであり、特定のモードのパネルに制限されない。
【００３７】
表示パネル１００は映像を表示する表示領域ＤＡ及び映像を表示しない非表示領域ＮＤＡを含む。表示領域ＤＡは映像を表示する。表示装置１０の厚さ方向ＤＲ３から見た時、表示領域ＤＡは長方状を有するものであるが、これに限定することではない。
【００３８】
表示領域ＤＡは複数のピクセル領域（図示せず）を含む。ピクセル領域（図示せず）はマトリックス状に配置される。ピクセル領域（図示せず）はそれぞれ複数のピクセル（図示せず）を含む。
【００３９】
非表示領域ＮＤＡは映像を表示しない。表示装置１０の厚さ方向ＤＲ３から見た時、非表示領域ＮＤＡは、表示領域ＤＡを囲む。非表示領域ＮＤＡは第１方向ＤＲ１及び第１方向ＤＲ１と垂直になる第２方向ＤＲ２において表示領域ＤＡと隣接する。
【００４０】
図２Ａは本発明の一実施形態による表示装置に含まれる表示パネルを概略的に示した斜視図である。
【００４１】
図１Ａ、図１Ｂ、及び図２Ａについて述べると、表示パネル１００は曲面構造を有する。表示パネル１００は第１曲率半径Ｒ１を有する。例えば、表示パネル１００に含まれる表示曲面１０３は第１曲率半径Ｒ１を有する。但し、表示曲面１０３から背面１０１方向に見た時、表示パネル１００が凸状の曲面構造を有する場合には、背面１０１が第１曲率半径Ｒ１を有する。
【００４２】
第１曲率半径Ｒ１は２０００ｍｍ乃至５０００ｍｍである。第１曲率半径Ｒ１が２０００ｍｍ未満であれば、表示される映像を使用者が効果的に認識し難く、第１曲率半径Ｒ１が５０００ｍｍ以上であれば、表示装置１０によって表示される映像に対する使用者の立体感没入感及び臨場感等が低下する。
【００４３】
図１Ａでは表示装置１０の厚さ方向ＤＲ３から見た時、表示パネル１００が凹んだ形状を有することを例として図示したが、これに限定することではなく、表示装置１０の厚さ方向ＤＲ３から見た時、表示パネル１００は凸状の形状を有してもよい。
【００４４】
図２Ｂは本発明の一実施形態による表示装置に含まれるバックライトユニットを概略的に示した斜視図である。
【００４５】
図１Ａ、図１Ｂ、図２Ａ、及び図２Ｂについて述べると、バックライトユニット２００は表示パネル１００に向けて光を発する。バックライトユニット２００は曲面構造を有する。バックライトユニット２００は第２曲率半径Ｒ２を有する。例えば、バックライトユニット２００に含まれる上面２０３は第２曲率半径Ｒ２を有する。第２曲率半径Ｒ２は第１曲率半径Ｒ１より大きい。但し、上面２０３から下面２０１の方向に見た時、バックライトユニット２００が凸状の曲面構造を有する場合には下面２０１が第２曲率半径Ｒ２を有する。この場合、第２曲率半径Ｒ２は第１曲率半径Ｒ１より小さい。
【００４６】
バックライトユニット２００は光を発する光源ユニット２３０及び光源ユニット２３０上に配置される光学部材２５０を含む。バックライトユニット２００は導光板をさらに含む場合もある。
【００４７】
光源ユニット２３０は曲面構造を有する。光源ユニット２３０は少なくとも１つの光源２３１、及び光源２３１に電源を印加する回路基板２３２を含む。光源２３１は回路基板２３２に搭載されている。光源２３１は発光ダイオード（Ｌｉｇｈｔ  Ｅｍｉｔｔｉｎｇ  Ｄｉｏｄｅｓ；ＬＥＤ）であることもあるが、それに限定されるものではない。回路基板２３２はプレート形状を有する。光源２３１は複数であり、回路基板２３２上に第２方向ＤＲ２に互いに離隔されて配置される。光源２３１及び回路基板２３２の各々は曲面構造を有する。
【００４８】
導光板２４０は曲面構造を有する。導光板２４０は光源ユニット２３０から受信された光をガイドして出射する。導光板２４０は表示パネル１００の厚さ方向ＤＲ３から見た時、通常、直六面体形状の板状を有し、表示パネル１００の下部に配置される。前記導光板２４０はポリカーボネート（ｐｏｌｙｃａｒｂｏｎａｔｅ）やポリメチルメタクリラート（ｐｏｌｙｍｅｔｈｙｌ  ｍｅｔｈａｃｒｙｌａｔｅ）等の透明な高分子樹脂を含む。導光板２４０は光源ユニット２３０から発せられる光を表示パネル１００の方向に導く。導光板２４０の内部に入射された光は導光板２４０の上面を通じて表示パネル１００方向に出射される。
【００４９】
本発明の一実施形態による表示装置１０では光源ユニット２３０が導光板２４０の側面のうちの１つのみに対応されて備え付けられた場合を例として説明したが、これに限定されるものではなく、導光板２４０の他の側面に沿って複数の光源ユニット２３０が配置されてもよい。本発明の一実施形態では表示装置１０がエッジ型（ｅｄｇｅ−ｔｙｐｅ）光源ユニット２３０を含むことを例として説明したが、これに限定されるものではなく、表示装置１０は直下型の光源ユニット２３０を含んでもよい。
【００５０】
光学部材２５０は曲面構造を有する。光学部材２５０は表示パネル１００及び導光板２４０の間に配置される。光学部材２５０は導光板２４０の出射面に出射される光の輝度及び視野角を向上させる。光学部材２５０は順次的に積層された第１光学シート２５１、第２光学シート２５２、及び第３光学シート２５３を含む。第１光学シート２５１、第２光学シート２５２、及び第３光学シート２５３の各々は曲面構造を有する。
【００５１】
第１光学シート２５１は導光板２４０から出射された光を拡散する拡散シートである。第２光学シート２５２は拡散シートで拡散された光を上部の表示パネル１００の平面と垂直である方向に集光するプリズムシートである。第３光学シート２５３はプリズムシートを外部の衝撃から保護する保護シートである。光学部材２５０は第１光学シート２５１、第２光学シート２５２、及び第３光学シート２５３の中で少なくともいずれか１つを複数枚重ねて使用し、必要によって１つ以上のシートを省略してもよい。
【００５２】
図示しなかったが、バックライトユニット２００は反射シートをさらに含む。反射シートは曲面構造を有する。反射シートは導光板２４０の下部に配置される反射シートは表示パネル１００方向に進行することなく下方向に漏洩してきた光を反射させて光が表示パネル１００の方向に進行するように光の経路を変更する。これによって、反射シートは表示パネル１００側に向かう光の量を増加させる。
【００５３】
図２Ｃは本発明の一実施形態による表示装置に含まれる放熱ボトムシャーシを概略的に示した斜視図である。
【００５４】
図１Ａ、図１Ｂ、図２Ａ、図２Ｂ、及び図２Ｃについて述べると、放熱ボトムシャーシ３００はバックライトユニット２００及び表示パネル１００を固定するものである。放熱ボトムシャーシ３００は曲面構造を有する。放熱ボトムシャーシ３００は第３曲率半径Ｒ３を有する。例えば、放熱ボトムシャーシ３００に含まれる底上面３０３は第３曲率半径Ｒ３を有する。第３曲率半径Ｒ３は第１曲率半径Ｒ１及び第２曲率半径Ｒ２の各々より大きい。但し、底上面３０３から底下面３０１方向に見た時、放熱ボトムシャーシ３００が凸状の曲面構造を有している場合には底下面３０１が第３曲率半径Ｒ３を有する。この時、第３曲率半径Ｒ３は第１曲率半径Ｒ１及び第２曲率半径Ｒ２の各々より小さい。
【００５５】
図３Ａは本発明の一実施形態による表示装置に含まれる放熱ボトムシャーシを概略的に示した斜視図である。図３Ｂは図３Ａの放熱ボトムシャーシの一部を切断して概略的に示した斜視図である。図３Ｃは本発明の一実施形態に含まれるボトムシャーシの概略的な分解斜視図である。図３Ｄは図３ＡのII−II’線に対応する概略的な断面図である。図３Ｅは図３ＡのII−II’線に対応する概略的な断面図である。
【００５６】
図１Ａ、図１Ｂ、及び図３Ａ乃至図３Ｅについて述べると、放熱ボトムシャーシ３００は光源ユニット収容部３１０、光学部材収容部３２０、及び表示パネル収容部３３０を含むものである。光源ユニット収容部３１０、光学部材収容部３２０、及び表示パネル収容部３３０は同一の物質を含む場合もある。光源ユニット収容部３１０、光学部材収容部３２０、及び表示パネル収容部３３０は金属又は合金を含む。例えば、光源ユニット収容部３１０、光学部材収容部３２０、及び表示パネル収容部３３０はアルミニウム、金、銀、及び鉄等を含む。
【００５７】
光源ユニット収容部３１０、光学部材収容部３２０、及び表示パネル収容部３３０は一体形として統合的に形成されることもある。光源ユニット収容部３１０、光学部材収容部３２０、及び表示パネル収容部３３０は同一の工程によって製造されることもある。より具体的には、光源ユニット収容部３１０、光学部材収容部３２０、及び表示パネル収容部３３０はダイキャスティング工法で製造される。
【００５８】
光源ユニット収容部３１０は光源ユニット２３０を収容する。光源ユニット収容部３１０は光学部材収容部３２０と連結される。光源ユニット収容部３１０は光源ユニット２３０が収容される光源ユニット収容溝Ｇ１を含む。図１Ｂでは光源ユニット収容溝Ｇ１に回路基板２３２が収容されることを例として図示したが、光源２３１の一部も光源ユニット収容溝Ｇ１に収容されてもよい。
【００５９】
光学部材収容部３２０は光源ユニット収容部３１０の上に配置される。光学部材収容部３２０は光源ユニット収容部３１０及び表示パネル収容部３３０の間に配置される。光学部材収容部３２０は光源ユニット収容部３１０と連結される。光学部材収容部３２０は表示パネル収容部３３０と連結される。光学部材収容部３２０は光学部材２５０を収容し、表示パネル１００を支持する。光学部材収容部３２０は光学部材２５０を収容する光学部材収容ホールＨ１を含む。光学部材収容部３２０は導光板２４０を収容する。
【００６０】
表示パネル収容部３３０は光学部材収容部３２０の上に配置され、表示パネル１００を収容する。表示パネル収容部３３０は光学部材収容部３２０と連結される。表示パネル収容部３３０は表示パネル１００を収容する表示パネル収容ホールＨ２を含む。表示パネル収容ホールＨ２の大きさは光学部材収容ホールＨ１の大きさより大きい。
【００６１】
光学部材収容部３２０は第１収容部側壁３２１、３２２、３２３、３２４を含む。第１収容部側壁３２１、３２２、３２３、３２４の中で少なくとも１つは表示パネル１００を支持する。
【００６２】
第１収容部側壁３２１、３２２、３２３、３２４は各々第１幅ｔ１を有する。図３Ａ乃至図３Ｅでは第１収容部側壁３２１、３２２、３２３、３２４の幅が同一であることを例として説明したが、これに限定することではなく、第１収容部側壁３２１、３２２、３２３、３２４の幅の中で少なくとも１つはその他のものと異なってもよい。第１収容部側壁３２１、３２２、３２３、３２４の中で少なくとも１つの幅は第２収容部側壁３３１、３３２、３３３、３３４の中と比べて少なくとも１つの幅より大きい場合もある。
【００６３】
第１収容部側壁３２１、３２２、３２３、３２４は第１サブ収容部側壁３２１、第２サブ収容部側壁３２２、第３サブ収容部側壁３２３、及び第４サブ収容部側壁３２４を含む。第２サブ収容部側壁３２２は第１サブ収容部側壁３２１と第１方向であるＤＲ１の方向に離隔されている第３サブ収容部側壁３２３は第１サブ収容部側壁３２１及び第２サブ収容部側壁３２２と連結される。第４サブ収容部側壁３２４は第３サブ収容部側壁３２３と第２方向であるＤＲ２の方向に離隔される。第４サブ収容部側壁３２４は第１サブ収容部側壁３２１及び第２サブ収容部側壁３２２と連結される。
【００６４】
第１サブ収容部側壁３２１及び第２サブ収容部側壁３２２は第１離隔距離ｄ１だけ離隔されている。第３サブ収容部側壁３２３及び第４サブ収容部側面は第２離隔距離ｄ２だけ離隔されている。図３Ａでは第２離隔距離ｄ２が第１離隔距離ｄ１より長いことを例として図示したが、これに限定するものではなく、第１離隔距離ｄ１が第２離隔距離ｄ２より長くともよい。
【００６５】
表示パネル収容部３３０は第２収容部側壁３３１、３３２、３３３、３３４を含む。第２収容部側壁３３１、３３２、３３３、３３４の上面は外部に露出している。図１Ｂでは第２収容部側壁３３１、３３２、３３３、３３４の上面が表示パネル１００の上面と同一の直線に配置されることを例として図示したが、これに限定するものではなく、第２収容部側壁３３１、３３２、３３３、３３４の上面は表示パネル１００の上面と同一の直線に配置されなくともよい。
【００６６】
第２収容部側壁３３１、３３２、３３３、３３４は各々第２幅ｔ２を有する。図３Ａ乃至図３Ｅでは第２収容部側壁３３１、３３２、３３３、３３４の幅が互いに同一であることを例として説明したが、これに限定するものではなく、第２収容部側壁３３１、３３２、３３３、３３４の幅の中で少なくとも１つはその他のものと異なってもよい。第２収容部側壁３３１、３３２、３３３、３３４の中で少なくとも１つの幅は第２収容部側壁３３１、３３２、３３３、３３４の中で少なくとも１つの幅より大きいことも認められる。
【００６７】
第２収容部側壁３３１、３３２、３３３、３３４は第５サブ収容部側壁３３１、第６サブ収容部側壁３３２、第７サブ収容部側壁３３３、及び第８サブ収容部側壁３３４を含む。第６サブ収容部側壁３３２は第５サブ収容部側壁３３１と第１方向であるＤＲ１の方向に離隔される。第７サブ収容部側壁３３３は第５サブ収容部側壁３３１及び第６サブ収容部側壁３３２と連結される。第８サブ収容部側壁３３４は第７サブ収容部側壁３３３と第２方向であるＤＲ２の方向に離隔される。第８サブ収容部側壁３３４は第５サブ収容部側壁３３１及び第６サブ収容部側壁３３２と連結される。
【００６８】
第５サブ収容部側壁３３１及び第６サブ収容部側壁３３２は第３離隔距離ｄ３だけ離隔されている。第７サブ収容部側壁３３３及び第８サブ収容部側面は第４離隔距離ｄ４だけ離隔されている。図３Ａでは第４離隔距離ｄ４が第３離隔距離ｄ３より長いことを例として図示したが、これに限定するものではなく、第３離隔距離ｄ３が第４離隔距離ｄ４より長くともよい。
【００６９】
第３離隔距離ｄ３は第１離隔距離ｄ１より大きい。第４離隔距離ｄ４は第２離隔距離ｄ２より大きい。但し、これに限定するものではなく、第３離隔距離ｄ３は第１離隔距離ｄ１と同一であってもよい。第４離隔距離ｄ４もやはり第２離隔距離ｄ２と同一であってもよい。
【００７０】
光源ユニット収容部３１０、光学部材収容部３２０、及び表示パネル収容部３３０は多様な形式で配置されてもよい。図３Ｄに示したように光源ユニット収容溝Ｇ１は第２収容部側壁３３１、３３２、３３３、３３４と離隔されてもよい。図３Ｅに示したように光源ユニット収容溝Ｇ１は第２収容部側壁３３１、３３２、３３３、３３４と連結されてもよい。
【００７１】
また、図３Ａ乃至図３Ｅでは光源ユニット収容溝Ｇ１が第１サブ収容部側壁３２１と隣接することを例として図示したが、これに限定することではなく、光源ユニット収容溝Ｇ１は第２サブ収容部側壁３２２、第３サブ収容部側壁３２３、又は第４サブ収容部側壁３２４と隣接してもよい。
【００７２】
図４Ａは本発明の一実施形態による表示装置に含まれる放熱ボトムシャーシを概略的に示した斜視図である。
図４Ｂは図４ＡのII−II’線に対応する概略的な断面図である。
【００７３】
図１Ａ、図１Ｂ、図４Ａ、及び図４Ｂについて述べると、放熱ボトムシャーシ３００は光源ユニット収容部３１０の下部に配置され、放熱ボトムシャーシ３００の耐久性を補強するブラケット３４０をさらに含む。ブラケット３４０は光源ユニット収容部３１０、光学部材収容部３２０、及び表示パネル収容部３３０と同一の物質を含む。
【００７４】
ブラケット３４０は光源ユニット収容部３１０と連結されている。図４Ａ及び図４Ｂではブラケット３４０が２つであることを例として図示したが、これに限定するものではなく、ブラケット３４０は１つでもよく、また、３つ以上でもよい。
【００７５】
図４Ａ及び図４Ｂではブラケット３４０が第２方向ＤＲ２に延長されることを例として図示したが、これに限定するものではなく、ブラケット３４０は第１方向ＤＲ１に延長されてもよい。
【００７６】
図５Ａは本発明の一実施形態による表示装置を概略的に示した分解斜視図である。
図５Ｂは図５ＡのI−I’線に対応する概略的な断面図である。
【００７７】
図５Ａ及び図５Ｂについて述べると、本発明の一実施形態による表示装置１０はバックライトユニット２００、表示パネル１００、放熱ボトムシャーシ３００、印刷回路基板４１０、テープキャリヤーパッケージ（Ｔａｐｅ  Ｃａｒｒｉｅｒ  Ｐａｃｋａｇｅ：ＴＣＰ）４２０、及びトップシャーシー５００を含む。以下では図５ＡおよびＢに示された表示装置１０と図１Ａ及び図１Ｂで示された表示装置１０との差異点を主に具体的に説明する。
【００７８】
先に言及したように表示パネル１００は映像を表示する。表示パネル１００は第１基板１０２と、第１基板１０２に対向する第２基板１０４とを含む。図示しなかったが、表示パネル１００は第１基板１０２と第２基板１０４との間に形成される液晶層を含む。
【００７９】
図示しなかったが、第１基板１０２には第１方向ＤＲ１に伸びる多数のゲートライン及び第１方向ＤＲ１と垂直である第２方向ＤＲ２に伸びていて、ゲートラインと絶縁されるように交差する多数のデータラインが配置される。第１基板１０２はマトリックス状に配置された複数のピクセル領域が含まれる。それぞれのピクセル領域には薄膜トランジスタ及びピクセル電極が含まれる。薄膜トランジスタのゲート電極はゲートラインのうち、対応する１つのゲートラインと電気的に連結され、薄膜トランジスタのソース電極はデータラインのうち、対応する１つのデータラインと電気的に連結され、薄膜トランジスタのドレーン電極は画素電極と電気的に連結される。したがって、薄膜トランジスタは画素領域の各々を制御又は駆動するための信号を画素電極にスイッチングする。
【００８０】
図示しなかったが、第２基板１０４は光を利用して所定の色を具現するカラーフィルター及びカラーフィルター上に形成されて画素電極と対向する共通電極を含んでもよい。カラーフィルター及び共通電極は第１基板１０２上に形成されてもよい。
【００８１】
液晶層（図示せず）は第１基板１０２及び第２基板１０４の間に形成される。液晶層（図示せず）は画素電極及び共通電極に印加される電圧によって特定方向に配列されることによって、バックライトユニット２００から提供される光の透過度を調節して表示パネル１００が映像を表示できるようにする。
【００８２】
先に述べたように本発明の一実施形態による表示装置１０は表示パネル１００と電気的に連結される印刷回路基板４１０及び表示パネル１００及び印刷回路基板４１０と連結されるテープキャリヤーパッケージ４２０をさらに含む。本発明の一実施形態による表示装置１０は表示パネル１００の側面の中で少なくとも１つをカバーするトップシャーシー５００をさらに含む。
【００８３】
印刷回路基板４１０は表示パネル１００と電気的に連結される。印刷回路基板４１０は放熱ボトムシャーシ３００の下部に付着される。印刷回路基板４１０は曲面構造を有する。
【００８４】
印刷回路基板４１０は表示パネル１００を駆動する。印刷回路基板４１０は表示パネル１００に駆動信号を提供する駆動部（図示せず）を含む。但し、これに限定されるものではなく、駆動部（図示せず）はテープキャリヤーパッケージ４２０に含まれてもよい。
【００８５】
駆動部（図示せず）は外部信号に応答して表示パネル１００を駆動するための駆動信号を発生する。外部信号は印刷回路基板４１０から供給された信号であり、外部信号には映像信号各種制御信号及び駆動電圧等が含まれる。
【００８６】
表示パネル１００に映像を表示するためにゲート信号及びデータ信号を必要とし、駆動部（図示せず）は映像信号をデータ信号に変換して表示パネル１００へ伝送するデータドライバ（図示せず）を含む。これに限定することではなく、データドライバ（図示せず）はチップで構成されてテープキャリヤーパッケージ４２０に実装されてもよく、第１ベース基板にチップオンガラス（Ｃｈｉｐ  Ｏｎ  Ｇｌａｓｓ：ＣＯＧ）の形態で実装されてもよい。
【００８７】
ゲート信号を生成するゲートドライバ（図示せず）は第１ベース基板上に直接的に形成される。これに限定するものではなく、ゲートドライバ（図示せず）はチップで構成されてテープキャリヤーパッケージ４２０又は駆動部（図示せず）に実装されてもよい。
【００８８】
印刷回路基板４１０は軟質でも硬質でも構わない。例えば、印刷回路基板４１０はポリマー基板、プラスチック基板、ガラス基板、石英基板等であってもよい。
【００８９】
テープキャリヤーパッケージ４２０は印刷回路基板４１０及び表示パネル１００を電気的に連結する。テープキャリヤーパッケージ４２０は弾性を有するフィルムの形態を有している。テープキャリヤーパッケージ４２０は複数個である場合もある。
【００９０】
トップシャーシー５００は印刷回路基板４１０及びテープキャリヤーパッケージ４２０をカバーする。トップシャーシー５００は曲面構造を有する。トップシャーシー５００は放熱ボトムシャーシ３００の少なくとも一側面に配置される。例えば、トップシャーシー５００は放熱ボトムシャーシ３００の一側面に提供され、他の側面には提供されないこともある。
【００９１】
トップシャーシー５００は放熱ボトムシャーシ３００と同一の物質を含む。例えば、トップシャーシー５００は金属及び合金を含む。例えば、トップシャーシー５００はアルミニウム、金、銀、及び鉄等を含む。
【００９２】
従来の表示装置は一般的に表示装置の外面と締結されるセット構造を含んでおり、スリム化を具現するのが難しかった。しかし、本発明の一実施形態による表示装置１０はモールドフレーム、放熱板及びボトムシャーシを一体的に形成することで得られる放熱ボトムシャーシを有し、上述のセット構造を有しないので、スリム化を実現することができる。
【００９３】
以下では図６に関して本発明の一実施形態による表示装置の製造方法について説明する。以下では先に説明した本発明の一実施形態による表示装置との差異点を主に具体的に説明し、説明されなかった部分は先に説明した本発明の一実施形態による表示装置にしたがう。
【００９４】
図６は本発明の一実施形態による表示装置の製造方法を概略的に示したフローチャートである。
図１Ａ乃至図６について述べると、本発明の一実施形態による表示装置１０の製造方法はダイキャスティング工法によって放熱ボトムシャーシ３００を製造する段階（Ｓ１００）、放熱ボトムシャーシ３００にバックライトユニット２００を設ける段階（Ｓ２００）、及びバックライトユニット２００上に表示パネル１００を設ける段階（Ｓ３００）を含む。表示パネル１００バックライトユニット２００及び放熱ボトムシャーシ３００の各々は曲面構造を有する。
【００９５】
放熱ボトムシャーシ３００は光源ユニット２３０を収容する光源ユニット収容部３１０、光源ユニット収容部３１０上に配置され、光学部材２５０を収容し、表示パネル１００を支持する光学部材収容部３２０、及び光学部材収容部３２０上に配置され、表示パネル１００を収容する表示パネル収容部３３０を含む。
【００９６】
光源ユニット収容部３１０、光学部材収容部３２０、及び表示パネル収容部３３０は単一工程で製造されることもある。例えば、光源ユニット収容部３１０、光学部材収容部３２０、及び表示パネル収容部３３０はダイキャスティング工法によって単一工程で製造される。
【００９７】
放熱ボトムシャーシ３００を製造する段階（Ｓ１００）は金属又は合金から放熱ボトムシャーシ３００を製造する。例えば、放熱ボトムシャーシ３００を製造する段階（Ｓ１００）はアルミニウム、金、銀、鉄等を使用して放熱ボトムシャーシ３００を製造することもある。
【００９８】
光源ユニット収容部３１０は光源ユニット２３０を収容する。光源ユニット収容部３１０は光学部材収容部３２０と連結される。光源ユニット収容部３１０は光源ユニット２３０が収容される光源ユニット収容溝Ｇ１を含む。
【００９９】
光学部材収容部３２０は光源ユニット収容部３１０上に配置される。光学部材収容部３２０は光源ユニット収容部３１０及び表示パネル収容部３３０の間に配置される。光学部材収容部３２０は光源ユニット収容部３１０と連結される。光学部材収容部３２０は表示パネル収容部３３０と連結される。光学部材収容部３２０は光学部材２５０を収容し、表示パネル１００を支持する。光学部材収容部３２０は光学部材２５０を収容する光学部材収容ホールＨ１を含む。光学部材収容部３２０は導光板２４０を収容する。
【０１００】
表示パネル収容部３３０は光学部材収容部３２０上に配置され、表示パネル１００を収容する。表示パネル収容部３３０は光学部材収容部３２０と連結される。表示パネル収容部３３０は表示パネル１００を収容する表示パネル収容ホールＨ２を含む。表示パネル収容ホールＨ２の大きさは光学部材収容ホールＨ１の大きさより大きい。
【０１０１】
バックライトユニット２００を設ける段階（Ｓ２００）は光源ユニット２３０を設ける段階及び光源ユニット２３０上に光学部材２５０を設ける段階を含む。バックライトユニット２００を設ける段階（Ｓ２００）は導光板を提供する段階をさらに含むこともある。
【０１０２】
光源ユニット２３０は光源ユニット収容部３１０に備え付けられる。光源ユニット２３０は光源ユニット収容溝Ｇ１に収容される。光学部材２５０は光学部材収容部３２０に備え付けられる。光学部材２５０は光学部材収容ホールＨ１に備え付けられる。導光板は光学部材２５０上に配置され、光学部材収容部３２０に備え付けられる。導光板は光学部材収容ホールＨ１に備え付けられる。
【０１０３】
表示パネル１００を供給段階Ｓ３００で表示パネル１００はバックライトユニット２００上に配置される。表示パネル１００は表示パネル収容部３３０に備え付けられる。表示パネル１００は表示パネル収容ホールＨ２に備え付けられる。表示パネル１００は光学部材収容部３２０によって支持される。
【０１０４】
本発明の一実施形態による表示装置１０の製造方法は表示パネルと電気的に連結される印刷回路基板４１０及び印刷回路基板４１０及び表示パネルの各々と連結されるテープキャリヤーパッケージ４２０を設ける段階をさらに含むこともある。
【０１０５】
印刷回路基板４１０は表示パネル１００と電気的に連結される。印刷回路基板４１０は放熱ボトムシャーシ３００の下部に付着される。印刷回路基板４１０は曲面構造を有する。
【０１０６】
テープキャリヤーパッケージ４２０は印刷回路基板４１０及び表示パネル１００を電気的に連結する。テープキャリヤーパッケージ４２０は弾性を有するフィルムの形態に形成される。テープキャリヤーパッケージ４２０は複数個である。
【０１０７】
本発明の一実施形態による表示装置１０の製造方法はトップシャーシーを設ける段階をさらに含むこともある。トップシャーシー５００は表示パネル１００の側面の中の少なくとも１つをカバーする。
【０１０８】
トップシャーシー５００は印刷回路基板４１０及びテープキャリヤーパッケージ４２０をカバーする。トップシャーシー５００は曲面構造を有する。トップシャーシー５００は放熱ボトムシャーシ３００の少なくとも一側面に備え付けられる。例えば、トップシャーシー５００は放熱ボトムシャーシ３００の一側面に配置され、他の側面には配置されない。
【０１０９】
トップシャーシー５００は放熱ボトムシャーシ３００と同一の物質を含む。例えば、トップシャーシー５００は金属及び合金を含む。例えば、トップシャーシー５００はアルミニウム、金、銀、及び鉄等を含む。
【０１１０】
従来の表示装置の製造方法によって製造された表示装置は一般的に表示装置の外面と締結されるセット構造が含まれているので、スリム化を実現するのが難しかった。しかし、本発明の一実施形態による表示装置１０の製造方法によって製造されたモールドフレーム、放熱板及びボトムシャーシを一体的に形成することで得られる放熱ボトムシャーシを有し、上述のセット構造を有しないのでスリム化を具現することができる。また、モールドフレーム、放熱板及びボトムシャーシを一体的に形成することで得られる放熱ボトムシャーシ３００は単一工程で製造することが可能であるので、製造工程を簡易化することができる。
【０１１１】
以上、添付された図面を参照して本発明の実施形態を説明したが、本発明が属する技術分野で通常の知識を有する者は本発明がその技術的思想や必須的な特徴を変形せずに他の具体的な形態で実施できることが理解できる。したがって、以上で記述した実施形態は、すべての面で例示的なことであり、限定的なことではないと理解しなければならない。
【符号の説明】
【０１１２】
１０                表示装置
１００              表示パネル
２００              バックライトユニット
３００              放熱ボトムシャーシ
４１０              印刷回路基板
４２０              テープキャリヤーパッケージ
５００              トップシャーシー
【図１Ａ】
2016161936.tif 000003
【図１Ｂ】
2016161936.tif 000004
【図２Ａ】
2016161936.tif 000005
【図２Ｂ】
2016161936.tif 000006
【図２Ｃ】
2016161936.tif 000007
【図３Ａ】
2016161936.tif 000008
【図３Ｂ】
2016161936.tif 000009
【図３Ｃ】
2016161936.tif 000010
【図３Ｄ】
2016161936.tif 000011
【図３Ｅ】
2016161936.tif 000012
【図４Ａ】
2016161936.tif 000013
【図４Ｂ】
2016161936.tif 000014
【図５Ａ】
2016161936.tif 000015
【図５Ｂ】
2016161936.tif 000016
【図６】
2016161936.tif 000017